(57)【要約】【課題】  単一の装置で複数の搬送先に搬送でき且つ各搬送先で搬送物の搬送状態を提示することが可能な搬送状態監視システム及び温度測定装置並びに搬送状態監視方法を提供すること。【解決手段】  温度測定装置は、処理装置と表示装置と納品ボタンとこれらを保持する筐体を備える。表示装置は、温度データを筐体の外面に表示する。判定部は、納品ボタンが操作された場合に、既に搬送した搬送先毎に納品ボタンの前後にわたって納品期間ＤＴとして設定すると共に、各納品期間の開始時刻ｓｔの直前の温度データをそれぞれ判定する。補正部は、温度データが正常値である場合に、温度データに対応する納品期間ＤＴ内の温度データを正常値に補正して補正温度データを生成する。表示データ出力部は、補正温度データを含む温度データにより搬送物の搬送状態を表示装置に出力する。【選択図】    図８Ａ
2018150116.tif 000002
【特許請求の範囲】
【請求項１】
医薬品等の搬送物を収容するコンテナの内部温度を搬送中に測定する温度センサを有する温度測定装置を備え、前記温度測定装置の温度データにより前記搬送物の状態を監視する搬送状態監視システムであって、
前記コンテナには、複数の搬送先の搬送物が収容されると共に前記温度測定装置が前記搬送物と共に前記コンテナの内部から取出可能に収容され、
前記温度測定装置は、前記温度データを処理する処理装置と、前記温度データを表示する表示装置と、搬送先で搬送物を納品する際に操作される納品ボタンと、これらを保持する筐体を備え、
前記表示装置は、前記温度データを前記筐体の外面に表示するものであり、
前記処理装置は、前記温度データが正常値であるか否かを判定する判定部と、前記表示装置に前記温度データを表示する際に当該温度データを補正する補正部と、前記搬送物の状態を前記表示装置に出力する表示データ出力部を有し、
前記判定部は、前記複数の搬送先の内の少なくとも１カ所以上の搬送先を既に経由した後に他の搬送先において前記納品ボタンが操作された場合に、少なくとも既に搬送した搬送先毎に前記納品ボタンが操作された操作時刻の前後にわたる所定時間を納品期間として設定すると共に、設定された各搬送先の納品期間の開始時刻の直前の測定時刻に測定された温度データが正常値であるか否かをそれぞれ判定し、
前記補正部は、前記測定された温度データが正常値である場合に、当該測定された温度データに対応する納品期間内の温度データを正常値に補正して補正温度データを生成し、
前記表示データ出力部は、搬送開始から現搬送先で前記納品ボタンが操作された操作時刻までの前記補正温度データを含む温度データにより前記搬送物の搬送状態を前記表示装置に出力する搬送状態監視システム。
【請求項２】
前記判定部は、各搬送先の納品期間毎に、納品期間内で且つ前記操作時刻後に測定された温度データが正常値であるか否かを判定し、正常値である温度データが存在する場合、正常値である温度データの測定時刻を納品期間の終了時刻とする納品期間調整部を有する請求項１記載の搬送状態監視システム。
【請求項３】
前記表示データ出力部は、搬送開始から現搬送先で前記納品ボタンが操作された操作時刻までの前記温度データの推移を示す推移グラフを生成するグラフ生成部を有し、前記グラフ生成部は、前記補正温度データに基づいて補正推移グラフを生成する請求項１又は２記載の搬送状態監視システム。
【請求項４】
前記グラフ生成部は、前記補正推移グラフ及び補正していない温度データの推移を示す原推移グラフを生成し、前記処理装置は、前記補正推移グラフと前記原推移グラフとの表示を切り替える表示切替部をさらに有する請求項３記載の搬送状態監視システム。
【請求項５】
前記温度データを記憶するサーバーと、前記温度測定装置及び前記サーバーと通信する移動端末とをさらに備え、前記温度測定装置は、前記移動端末と通信する通信装置をさらに有し、前記処理装置は、前記判定部の判定に応じて前記温度データを前記移動端末に送信するデータ送信部をさらに有し、前記移動端末は、受信した前記温度データを前記サーバーに転送するデータ転送部を有する請求項１〜４のいずれかに記載の搬送状態監視システム。
【請求項６】
前記移動端末は、位置情報を取得する位置情報取得装置を含み、前記データ転送部は、前記温度データに前記位置情報を付与して前記サーバーに転送し、前記サーバーは、前記温度データ及び前記位置情報に基づいて搬送履歴情報を生成する履歴情報生成部を有する請求項５記載の搬送状態監視システム。
【請求項７】
前記データ送信部は、前記温度データが所定時間連続して正常値でない場合に異常情報を送信し、前記サーバーは、前記異常情報を受信した場合に管理者及び／又は前記搬送物の搬送者へ通知する異常通知部を有する請求項５又は６記載の搬送状態監視システム。
【請求項８】
医薬品等の搬送物を収容するコンテナの内部温度を搬送中に測定する温度センサを有する温度測定装置であって、
前記温度データを処理する処理装置と、前記温度データを表示する表示装置と、搬送先で搬送物を納品する際に操作される納品ボタンと、これらを保持する筐体を備え、
前記表示装置は、前記温度データを前記筐体の外面に表示するものであり、
前記処理装置は、前記温度データが正常値であるか否かを判定する判定部と、前記表示装置に前記温度データを表示する際に当該温度データを補正する補正部と、前記搬送物の状態を前記表示装置に出力する表示データ出力部を有し、
前記判定部は、複数の搬送先の内の少なくとも１カ所以上の搬送先を既に経由した後に他の搬送先において前記納品ボタンが操作された場合に、少なくとも既に搬送した搬送先毎に前記納品ボタンが操作された操作時刻の前後にわたる所定時間を納品期間として設定すると共に、設定された各搬送先の納品期間の開始時刻の直前の測定時刻に測定された温度データが正常値であるか否かをそれぞれ判定し、
前記補正部は、前記測定された温度データが正常値である場合に、当該測定された温度データに対応する納品期間内の温度データを正常値に補正して補正温度データを生成し、
前記表示データ出力部は、搬送開始から現搬送先で前記納品ボタンが操作された操作時刻までの前記補正温度データを含む温度データにより前記搬送物の搬送状態を前記表示装置に出力する温度測定装置。
【請求項９】
医薬品等の搬送物を収容するコンテナの内部温度を搬送中に測定する温度センサを有する温度測定装置の温度データにより前記搬送物の状態を監視する搬送状態監視方法であって、
前記温度測定装置は、前記温度データを処理する処理装置と、前記温度データを表示する表示装置と、搬送先で搬送物を納品する際に操作される納品ボタンと、これらを保持する筐体を備え、
前記表示装置は、前記温度データを前記筐体の外面に表示するものであり、
前記コンテナに複数の搬送先の搬送物を収容すると共に前記温度測定装置を前記搬送物と共に前記コンテナの内部から取出可能に収容し、
前記複数の搬送先の内の少なくとも１カ所以上の搬送先を既に経由した後に他の搬送先において前記納品ボタンが操作された場合に、少なくとも既に搬送した搬送先毎に前記納品ボタンが操作された操作時刻の前後にわたる所定時間を納品期間として設定すると共に、設定された各搬送先の納品期間の開始時刻の直前の測定時刻に測定された温度データが正常値であるか否かをそれぞれ判定し、
前記測定された温度データが正常値である場合に、当該測定された温度データに対応する納品期間内の温度データを正常値に補正して補正温度データを生成し、
搬送開始から現搬送先で前記納品ボタンが操作された操作時刻までの前記補正温度データを含む温度データにより前記搬送物の搬送状態を前記表示装置に出力する搬送状態監視方法。
【発明の詳細な説明】
【技術分野】
【０００１】
本発明は、搬送状態監視システム及び温度測定装置並びに搬送状態監視方法に関する。さらに詳しくは、医薬品等の搬送物を収容するコンテナの内部温度を搬送中に測定する温度センサを有する温度測定装置を備え、前記温度測定装置の温度データにより前記搬送物の状態を監視する搬送状態監視システム及び温度測定装置並びに搬送状態監視方法に関する。
【背景技術】
【０００２】
従来、上述の如き搬送状態監視システムとして、例えば特許文献１に記載の如きものが知られている。この輸送管理システムは、保管箱に収納された定温保存物の温度データを輸送中にサーバへ通信網を介して送信して、輸送中の定温保存物の温度を管理する。しかし、この保管箱には温度センサ、制御装置、データロガー等が固定（内蔵）されているため、複数の搬送先へ搬送する場合、搬送先毎に保管箱が必要となる。しかも、この文献には、複数箇所への搬送に関して記載されておらず、その管理手法についても何ら開示されていない。
【先行技術文献】
【特許文献】
【０００３】
【特許文献１】特開２００８−５０１０１号公報
【発明の概要】
【発明が解決しようとする課題】
【０００４】
かかる従来の実情に鑑みて、本発明は、単一の装置で複数の搬送先に搬送でき且つ各搬送先で搬送物の搬送状態を提示することが可能な搬送状態監視システム及び温度測定装置並びに搬送状態監視方法を提供することを目的とする。
【課題を解決するための手段】
【０００５】
上記目的を達成するため、本発明に係る搬送状態監視システムの特徴は、医薬品等の搬送物を収容するコンテナの内部温度を搬送中に測定する温度センサを有する温度測定装置を備え、前記温度測定装置の温度データにより前記搬送物の状態を監視する搬送状態監視システムにおいて、前記コンテナには、複数の搬送先の搬送物が収容されると共に前記温度測定装置が前記搬送物と共に前記コンテナの内部から取出可能に収容され、前記温度測定装置は、前記温度データを処理する処理装置と、前記温度データを表示する表示装置と、搬送先で搬送物を納品する際に操作される納品ボタンと、これらを保持する筐体を備え、前記表示装置は、前記温度データを前記筐体の外面に表示するものであり、前記処理装置は、前記温度データが正常値であるか否かを判定する判定部と、前記表示装置に前記温度データを表示する際に当該温度データを補正する補正部と、前記搬送物の状態を前記表示装置に出力する表示データ出力部を有し、前記判定部は、前記複数の搬送先の内の少なくとも１カ所以上の搬送先を既に経由した後に他の搬送先において前記納品ボタンが操作された場合に、少なくとも既に搬送した搬送先毎に前記納品ボタンが操作された操作時刻の前後にわたる所定時間を納品期間として設定すると共に、設定された各搬送先の納品期間の開始時刻の直前の測定時刻に測定された温度データが正常値であるか否かをそれぞれ判定し、前記補正部は、前記測定された温度データが正常値である場合に、当該測定された温度データに対応する納品期間内の温度データを正常値に補正して補正温度データを生成し、前記表示データ出力部は、搬送開始から現搬送先で前記納品ボタンが操作された操作時刻までの前記補正温度データを含む温度データにより前記搬送物の搬送状態を前記表示装置に出力することにある。
【０００６】
上記特徴によれば、温度測定装置は、複数の搬送先の搬送物と共に搬送コンテナ内に取出可能に収容される。また、温度測定装置は温度データを処理する処理装置と、温度データを表示する表示装置と、搬送先で搬送物を納品する際に操作される納品ボタンとを備え、温度データをその筐体の外面に表示する。よって、搬送先で受取人に対して、搬送開始から納品までの搬送状態を搬送物を納品すると同時に提示できる。そして、判定部は、複数の搬送先の内の少なくとも１カ所以上の搬送先を既に経由した後に他の搬送先において納品ボタンが操作された場合に、少なくとも既に搬送した搬送先毎に納品ボタンが操作された操作時刻の前後にわたる所定時間を納品期間として設定すると共に、設定された各搬送先の納品期間の開始時刻の直前の測定時刻に測定された温度データが正常値であるか否かをそれぞれ判定する。ここで、納品ボタンが操作された操作時刻の前後は、納品に際して、コンテナから温度測定装置を取り出している状況であり、温度異常の原因は明らかである。そこで、処理装置の補正部は、納品期間の開始時刻の直前の温度データが正常値である場合に、当該測定された温度データに対応する納品期間内の温度データを正常値に補正して補正温度データを生成する。これにより、温度異常の原因が明白な各搬送先の納品時の温度データを正常な状態に修正することができる。そして、表示データ出力部が、搬送開始から現搬送先で納品ボタンが操作された操作時刻までの補正温度データを含む温度データにより搬送物の搬送状態を表示装置に出力することで、現搬送先の受取人に原因が明らかである異常を除いた搬送状態を提示することができる。
【０００７】
前記判定部は、各搬送先の納品期間毎に、納品期間内で且つ前記操作時刻後に測定された温度データが正常値であるか否かを判定し、正常値である温度データが存在する場合、正常値である温度データの測定時刻を、当該正常値である温度データを含む納品期間の終了時刻とする納品期間調整部を有してもよい。これにより、操作時刻後に測定された正常な温度データの測定時刻で納品期間を終了させることで、納品期間を短くして監視時間を長くでき、監視効率を上昇させると共にデータの信頼性も向上する。
【０００８】
前記表示データ出力部は、搬送開始から現搬送先で前記納品ボタンが操作された操作時刻までの前記温度データの推移を示す推移グラフを生成するグラフ生成部を有し、前記グラフ生成部は、前記補正温度データに基づいて補正推移グラフを生成してもよい。これにより、時間推移に基づく補正推移グラフを提示できる。
【０００９】
係る場合、前記グラフ生成部は、前記補正推移グラフ及び補正していない温度データの推移を示す原推移グラフを生成し、前記処理装置は、前記補正推移グラフと前記原推移グラフとの表示を切り替える表示切替部をさらに有してもよい。補正前後の推移グラフの双方を提示できるので、搬送先の受取人に対するデータの信頼性をさらに向上させることができる。
【００１０】
前記温度データを記憶するサーバーと、前記温度測定装置及び前記サーバーと通信する移動端末とをさらに備え、前記温度測定装置は、前記移動端末と通信する通信装置をさらに有し、前記処理装置は、前記判定部の判定に応じて前記温度データを前記移動端末に送信するデータ送信部をさらに有し、前記移動端末は、受信した前記温度データを前記サーバーに転送するデータ転送部を有してもよい。これにより、納品時に温度データを提示するだけでなく、搬送中の温度データを常に監視することができる。
【００１１】
前記移動端末は、位置情報を取得する位置情報取得装置を含み、前記データ転送部は、前記温度データに前記位置情報を付与して前記サーバーに転送し、前記サーバーは、前記温度データ及び前記位置情報に基づいて搬送履歴情報を生成する履歴情報生成部を有してもよい。これにより、温度データと共に搬送物の位置を確認でき、監視精度をさらに向上させることができる。
【００１２】
前記データ送信部は、前記温度データが所定時間連続して正常値でない場合に異常情報を送信し、前記サーバーは、前記異常情報を受信した場合に管理者及び／又は前記搬送物の搬送者へ通知する異常通知部を有してもよい。これにより、管理者や搬送者が搬送先への到着前に搬送物の温度異常を把握できるので、納品中止や再配送の手配等を含むイレギュラーな対応も迅速に行うことができる。
【００１３】
上記目的を達成するため、本発明に係る温度測定装置の特徴は、医薬品等の搬送物を収容するコンテナの内部温度を搬送中に測定する温度センサを有する温度測定装置において、前記温度データを処理する処理装置と、前記温度データを表示する表示装置と、搬送先で搬送物を納品する際に操作される納品ボタンと、これらを保持する筐体を備え、前記表示装置は、前記温度データを前記筐体の外面に表示するものであり、前記処理装置は、前記温度データが正常値であるか否かを判定する判定部と、前記表示装置に前記温度データを表示する際に当該温度データを補正する補正部と、前記搬送物の状態を前記表示装置に出力する表示データ出力部を有し、前記判定部は、複数の搬送先の内の少なくとも１カ所以上の搬送先を既に経由した後に他の搬送先において前記納品ボタンが操作された場合に、少なくとも既に搬送した搬送先毎に前記納品ボタンが操作された操作時刻の前後にわたる所定時間を納品期間として設定すると共に、設定された各搬送先の納品期間の開始時刻の直前の測定時刻に測定された温度データが正常値であるか否かをそれぞれ判定し、前記補正部は、前記測定されたデータが正常値である場合に、当該測定された温度データに対応する納品期間内の温度データを正常値に補正して補正温度データを生成し、前記表示データ出力部は、搬送開始から現搬送先で前記納品ボタンが操作された操作時刻までの前記補正温度データを含む温度データにより前記搬送物の搬送状態を前記表示装置に出力することにある。
【００１４】
上記目的を達成するため、本発明に係る搬送状態監視方法の特徴は、医薬品等の搬送物を収容するコンテナの内部温度を搬送中に測定する温度センサを有する温度測定装置の温度データにより前記搬送物の状態を監視する搬送状態監視方法において、前記温度測定装置は、前記温度データを処理する処理装置と、前記温度データを表示する表示装置と、搬送先で搬送物を納品する際に操作される納品ボタンと、これらを保持する筐体を備え、前記表示装置は、前記温度データを前記筐体の外面に表示するものであり、前記コンテナに複数の搬送先の搬送物を収容すると共に前記温度測定装置を前記搬送物と共に前記コンテナの内部から取出可能に収容し、前記複数の搬送先の内の少なくとも１カ所以上の搬送先を既に経由した後に他の搬送先において前記納品ボタンが操作された場合に、少なくとも既に搬送した搬送先毎に前記納品ボタンが操作された操作時刻の前後にわたる所定時間を納品期間として設定すると共に、設定された各搬送先の納品期間の開始時刻の直前の測定時刻に測定された温度データが正常値であるか否かをそれぞれ判定し、前記測定された温度データが正常値である場合に、当該測定された温度データに対応する納品期間内の温度データを正常値に補正して補正温度データを生成し、搬送開始から現搬送先で前記納品ボタンが操作された操作時刻までの前記補正温度データを含む温度データにより前記搬送物の搬送状態を前記表示装置に出力することにある。
【発明の効果】
【００１５】
上記本発明に係る搬送状態監視システム及び温度測定装置並びに搬送状態監視方法の特徴によれば、単一の装置で複数の搬送先に搬送でき且つ各搬送先で搬送物の搬送状態を提示することが可能となった。
【００１６】
本発明の他の目的、構成及び効果については、以下の発明の実施の形態の項から明らかになるであろう。
【図面の簡単な説明】
【００１７】
【図１】本発明に係る搬送状態監視システムの概略を示す図である。
【図２Ａ】サーバーのハードウェア構成の概略を示すブロック図である。
【図２Ｂ】サーバーのソフトウェア構成の概略を示すブロック図である。
【図３Ａ】移動端末のハードウェア構成の概略を示すブロック図である。
【図３Ｂ】移動端末のソフトウェア構成の概略を示すブロック図である。
【図４Ａ】温度測定装置を示す図である。
【図４Ｂ】温度測定装置のハードウェア構成の概略を示すブロック図である。
【図４Ｃ】温度測定装置の処理装置のソフトウェア構成の概略を示すブロック図である。
【図５Ａ】搬送中の異常通知を説明する温度推移グラフの図である。
【図５Ｂ】搬送中の異常通知のカウントを説明する図５Ａ相当図である。
【図６】（ａ）搬送過程における温度推移グラフを示す図であり、（ｂ）は（ａ）の補正推移グラフを示す図である。
【図７】納品期間を説明する温度推移グラフの図である。
【図８Ａ】納品期間内の温度データの補正を説明する図である。
【図８Ｂ】他の温度データの補正を説明する図８Ａ相当図である。
【図８Ｃ】さらに他の温度データの補正を説明する図８Ａ相当図である。
【図９】搬送手順を示すフローチャートである。
【図１０】搬送中の処理手順を示すフローチャートである。
【図１１】納品期間の温度データの補正処理を示すフローチャートである。
【図１２】管理者ＰＣに表示される表示画面の一例を示す図である。
【図１３】さらに他の温度データの補正を説明する図８Ａ相当図である。
【発明を実施するための形態】
【００１８】
次に、適宜添付図面を参照しながら、本発明をさらに詳しく説明する。
本発明に係る搬送状態監視システム１は、医薬品等の搬送物Ｍを収容するコンテナ５の内部温度を搬送中に測定する温度センサ２ｊを有する温度測定装置２を備え、温度測定装置２の温度データにより搬送物Ｍの状態を監視する。本実施形態では、図１に示すように、ネットワーク６を介して温度測定装置２が測定した温度データ等を受信し記憶するサーバー３と、温度測定装置２及びサーバー３と通信する移動端末４をさらに備える。コンテナ５は、例えば保温性に優れた材質で構成されている。
【００１９】
ここで、図１に例示する実施形態では、コンテナ５には、複数の搬送先Ｐ１〜Ｐ３へ順に搬送される搬送物Ｍとしての薬剤ｍ１〜ｍ３が収容されると共に薬剤ｍ１〜ｍ３と共に取出可能に温度測定装置２が収容される。これにより、１つの温度測定装置２で、搬送中の薬剤ｍ１〜ｍ３の温度を監視（測定）することができる。同図の例では、まず、薬剤ｍ１が第一搬送先Ｐ１のＡ病院に納品され、次に、薬剤ｍ２が第二搬送先Ｐ２のＢ薬局に納品され、最後に、薬剤ｍ３が第三搬送先Ｐ３のＣ病院に納品され、搬送が完了する。温度測定装置２は、搬送開始地点Ｐ０から第三搬送先Ｐ３までの間の温度を測定する。
【００２０】
サーバー３は、図２Ａに示すように、大略、キーボードやマウス等の入力装置３ａ、モニタ等の出力装置３ｂ、ＣＰＵ３ｃ、メモリ３ｄ、ＨＤＤ等の記憶装置３ｅ及びネットワーク６と接続するためのネットワークアダプタ３ｆとから構成され、バス３ｇで接続されている。また、ＣＰＵ３ｃ、メモリ３ｄ、記憶装置３ｅなどが連携して後述のソフトウェア３０を実行する。サーバー３には、図１に示すように、薬剤ｍ１〜ｍ３の搬送状態を管理する管理者の管理者用パーソナルコンピュータ（以下「管理者ＰＣ」と呼ぶ）７を接続してもよい。なお、サーバー３には、例えば一般的なＰＣが用いられる。
【００２１】
サーバー３が実行させるソフトウェア３０は、図２Ｂに示すように、大略、移動端末４から受信した第二受信データを基に薬剤ｍ１〜ｍ３の搬送履歴を生成する履歴情報生成部３１と、薬剤ｍ１〜ｍ３の温度異常情報を管理者ＰＣ７及び／又は移動端末４に発信する異常通知部３２とを有する。ここで、第二受信データは、後述する第一受信データ及び当該温度データが測定された位置情報を少なくとも含む。
【００２２】
履歴情報生成部３１は、上述の受信データを用いて、例えば図１２に示すように、出力装置３ｂや管理者ＰＣ７のモニタに地図上に搬送経路を示す地図ウィンドウ３１ａや搬送履歴の文字情報を示す文字ウィンドウ３１ｂを生成、表示する。さらに、各搬送先や通過地点において、温度データ（温度履歴グラフ）、測定時刻、住所やステータス（判定結果）等を参照（リンク）可能に表示する吹き出し３１ｃを生成する。
【００２３】
移動端末４は、図３Ａに示すように、大略、タッチパネル等の入力装置４ａ、出力装置４ｂ、ＣＰＵ４ｃ、メモリ４ｄ、ＨＤＤ等の記憶装置４ｅ、ネットワークアダプタ４ｆ及び位置情報取得装置（ＧＰＳモジュール）４ｇから構成され、バス４ｈで接続されている。また、ＣＰＵ４ｃ、メモリ４ｄ、記憶装置４ｅなどが連携して後述のソフトウェア４０を実行する。なお、移動端末４は搬送者が所持し、例えば一般的なスマートフォンやノートパソコン等が用いられる。さらに、他の機器と接続する通信装置４ｊを備えるとよい。例えば、ＢＬＵＥＴＯＯＴＨ（登録商標）モジュール、ＵＳＢポート、赤外線ポート等、有線無線を問わず、データを送受信できるものであれば特に限定されない。
【００２４】
移動端末４が実行させるソフトウェア４０は、図３Ｂに示すように、大略、温度測定装置２から受信した第一受信データを出力装置４ｂに出力するデータ出力部４１と、受信データ等をネットワークアダプタ４ｆを介してサーバー３に送信するデータ転送部４２と、温度測定装置２の測定条件等を設定する設定部４３を有する。第一受信データは、温度測定装置２が測定した温度データと当該温度データが正常であるか否かの判定データとを少なくとも含む。データ転送部４２は、第一受信データの受信時に位置情報取得装置４ｇにて位置情報を測定すると共に測定した位置情報を第一受信データに付与して第二受信データとしてサーバー３に転送する。
【００２５】
温度測定装置２は、図４Ａ、４Ｂに示すように、大略、温度データを処理する処理装置２ａ、温度データを表示する表示装置２ｂ、搬送先で搬送物を納品する際に操作される納品ボタン２ｃ及びこれらを保持する筐体２ｄを備える。図４Ａに示すように、表示装置２ｂは、筐体２ｄの外面に露出して取り付けられているので、納品時に受取人への搬送状況の提示が容易となる。
【００２６】
また、筐体２ｄには、温度測定装置２の状況を示す複数の警告部２ｅ１〜２ｅ４や、各種操作ボタン２ｆ１〜２ｆ３が配置されている。警告部２ｅ１〜２ｅ４は、例えば、温度監視状況、電池残量状況、移動端末４との接続状況、エラーの発生状況等をＬＥＤの点滅、点灯等で表示する。また、操作ボタン２ｆ１〜２ｆ３は、例えば、表示装置２ｂのオンオフ、温度測定の開始・停止、表示形式の切替を行うボタンである。
【００２７】
温度測定装置２のハードウェア構成は、図４Ｂに示すように、大略、後述のソフトウェア２０を実行させる処理装置２ａ、表示装置２ｂ、各種ボタン等の入出力装置２ｇ、外部へ温度データを出力（送信）する通信装置２ｈ、電源装置２ｉ及び熱電対を含む温度センサ２ｊよりなる。処理装置２ａは、例えばＣＰＵやメモリ等を内蔵するマイコンより構成される。また、通信装置２ｈは、ＢＬＵＥＴＯＯＴＨ（登録商標）モジュール、ＵＳＢポート、赤外線ポート等、有線無線を問わず、データを送受信できるものであれば特に限定されない。
【００２８】
処理装置２ａが実行させるソフトウェア２０は、図４Ｃに示すように、大略、温度データが正常値であるか否かを判定する判定部２１と、表示装置２ｂに温度データを表示する際に温度データを補正する補正部２２と、表示装置２ｂに出力する表示データ出力部２３を有する。また、温度センサ２ｊが測定した温度データ及び当該温度データが正常であるか否かの判定部２１での判定データ（第一受信データ）を移動端末４へ送信するデータ送信部２４と、操作ボタン２ｆの操作により表示装置２ｂの表示形式を切り替える表示切替部２５をさらに備える。
【００２９】
判定部２１は、各搬送先の納品期間ＤＴ毎に、納品期間ＤＴ内で且つ納品ボタン２ｃの操作時刻Ｂ（以下、単に「操作時刻Ｂ」と略する。）後に測定された温度データが正常値であるか否かを判定し、正常値である温度データが存在する場合、正常値である温度データの測定時刻を納品期間ＤＴの終了時刻とする納品期間調整部２１ａを有する。
【００３０】
表示データ出力部２３は、搬送開始から現搬送先で納品ボタン２ｃが操作された操作時刻までの温度データの推移を示す推移グラフを生成するグラフ生成部２３ａを有する。このグラフ生成部２３ａは、補正温度データに基づいて補正推移グラフを生成する。
【００３１】
ここで、図５Ａ，５Ｂを参照しながら、温度データの判定及び移動端末４への送信について説明する。なお、縦軸は温度（℃）、横軸は時間（分）を示す。
管理温度上限値Ｔmax及び管理温度下限値Ｔminは、搬送開始時に搬送物Ｍに応じて温度測定装置２自体又は移動端末４の設定部４３で設定される。温度センサ２ｊは、通常、所定の測定間隔ｔ（例えば１分、１０分等）でコンテナ５内の温度を測定する。そして、判定部２１は、管理温度上限値Ｔmaxを上回る又は管理温度下限値Ｔminを下回る場合、すなわち管理温度範囲Ａ外である温度データを正常値でない（異常である）と判定する。
【００３２】
ここで、判定部２１は、図５Ａに示すように、温度データが連続して正常値でない回数をカウントする。そして、そのカウント数Ｓが所定回数連続（同図では３回）した時点で、データ送信部２４は移動端末４に温度データ及び異常判定結果を送信する（符号ｑ）。データ送信部２４の異常通知実行後に、判定部２１はカウント数Ｓをリセットする。また、図５Ｂに示すように、判定部２１は、正常な温度データが測定された場合にもカウント数Ｓをリセットする。
【００３３】
このように、データ送信部２４は、所定回数連続で正常でない温度データが測定された場合に、移動端末４に温度データの送信及び異常通知を実行する。この異常通知により、コンテナ５に収容される搬送物Ｍの搬送中の搬送状態（温度）を監視（把握）することができる。
【００３４】
次に、図６〜８を参照しながら温度データの補正について説明する。
上述したように、本発明に係る温度測定装置２は、１つのコンテナ５内に複数の搬送先Ｐ１〜Ｐ３に搬送（納品）される薬剤ｍ１〜ｍ３と共に取出可能に収容され、各搬送先の納品時に薬剤ｍ１〜ｍ３と共にコンテナ５から取り出される。よって、温度測定装置２は、納品時にコンテナ５の内部温度を測定していない。そのため、図６（ａ）に示す如き、図１に示す搬送の例では、搬送先Ｐ１〜Ｐ３の各納品時において、温度データは管理温度範囲Ａ外となる。しかし、この温度異常が納品のために薬剤及び温度測定装置２を取り出したことに起因していることは明白であり、納品時にコンテナ５はすぐに密閉されるので、コンテナ５内の温度変化も抑制されている。そこで、本発明は、図６（ｂ）に示す如き、温度異常の原因が明らかな各納品期間ＤＴ１〜３中の測定温度を補正することで、複数の搬送先への搬送を可能として搬送効率を向上させ、搬送状態の監視結果の信頼性を確保する。
【００３５】
補正部２２は、図７に示すように、納品ボタン２ｃが操作された操作時刻Ｂより所定時間前を前期納品期間ｄｔａとすると共に操作時刻Ｂより所定時間後を後期納品期間ｄｔｂとし、これらを合算して操作時刻Ｂの前後における納品期間ＤＴを設定する。この納品期間ＤＴ中の温度データが補正対象データとなる。この設定は、納品ボタン２ｃが操作された時、すなわち、現搬送先及び既に搬送した搬送先毎に行われる。図１及び図６に示す例では、現搬送先Ｐ３及び既に搬送した搬送先Ｐ１，Ｐ２での３回の納品ボタン２ｃの操作時刻Ｂ１〜Ｂ３に対して実行される。
【００３６】
納品期間ＤＴ中の温度データの補正に際し、まず、先の判定部２１が、納品期間ＤＴの開始時刻ｓｔの直前の測定時刻ｍｔ１に測定された温度データが正常値であるか否かを判定する。図８Ａに示すように、直前の測定時刻ｍｔ１に測定された温度データが正常値である場合、補正部２２は、その直後の納品期間ＤＴ内の温度データを正常値に補正して補正温度データを生成する。同図の例では、納品期間ＤＴ内の温度データを直前の測定時刻ｍｔ１の測定値と見なしてその値に補正する。「納品」という処理がなければ、納品期間ＤＴに相当する期間の温度（測定データ）は、ほぼ一定で安定していると考えられる。そこで、本実施形態では、通常の搬送状態を再現するように、測定時刻ｍｔ１に測定された正常値を用いて補正している。
【００３７】
また、図８Ｂに示す例は、納品期間ＤＴの開始時刻ｓｔに測定された温度データが正常値である点で図８Ａと異なる。係る場合、開始時刻ｓｔに測定された温度データは補正せずに、それ以降の納品期間ＤＴ内の温度データを補正する。同図の例も、開始時刻ｓｔに測定された温度データ以降の納品期間ＤＴ内の温度データを開始時刻ｓｔの測定値に補正する。このように、開始時刻ｓｔから連続して正常値を示す温度データは、補正せずに表示するとよい。
【００３８】
さらに、図８Ｃに示す例は、納品期間ＤＴの終了時刻ｆｔの直前の測定時刻ｍｔ３に測定された温度データが正常値である点で図８Ａ，８Ｂと異なる。係る場合、納品期間調整部２１ａが、測定時刻ｍｔ３を短縮納品期間ＤＴ’の終了時刻ｆｔ’として、納品期間ＤＴを短縮する。そして、短縮納品期間ＤＴ’内の正常でない温度データを短縮納品期間ＤＴ’の開始時刻ｓｔの直前の測定時刻ｍｔ１の測定値に補正する。この納品期間の調整は、操作時刻Ｂより後の後期納品期間ｄｔｂ内の温度データに正常値である温度データが含まれる場合に実行することができる。納品期間ＤＴを短縮することで温度監視対象となる時間を長くし、監視精度を向上させることができる。例えば、同図の破線Ｇ０’で示す如く、測定時刻ｍｔ３直後に異常値が連続した場合、より早く異常通知を行うことが可能となる。
【００３９】
次に、図１の搬送を例に、搬送物Ｍの積み込みから納品完了までの手順を図９〜１１を参照しながら説明する。
まず、搬送開始地点Ｐ０である倉庫において、コンテナ５に搬送先Ｐ１〜Ｐ３の薬剤ｍ１〜ｍ３が温度測定装置２と共に収容され、搬送車Ｃに積み込まれる（Ｓ１）。この時、例えば温度測定装置２の操作ボタン２ｆ２の操作により温度測定を開始する。
【００４０】
搬送中（Ｓ２）は、図１０に示すように、納品ボタン２ｃの操作が確認され（Ｓ２１）、操作されていない場合、所定の測定間隔（ｎ分）経過すれば（Ｓ２２）温度センサ２ｊにてコンテナ５内（搬送物）の温度が測定される（Ｓ２３）。そして、所定の通信間隔（ｍ分）経過していれば（Ｓ２４）、その期間の温度データをデータ送信部２４が移動端末４へ送信する（Ｓ２５）。他方、通信間隔（ｍ分）経過していなければ、判定部２１は、温度が正常か否か（Ｓ２６）、所定回数（ｈ回）連続しているかを判定し（Ｓ２７）、ｈ回連続で正常でなければ、温度データ及び判定データを送信する（Ｓ２８）。納品ボタン２ｃの操作が操作された場合、１回目であれば、第一搬送先（Ｓ３）の処理が実行され、１回目でなければ他搬送先（Ｓ６）の処理が実行される。
【００４１】
最初の搬送先Ｐ１に到着すると、コンテナ５から薬剤ｍ１と温度測定装置２を取出し、第一搬送先Ｐ１の受取人に渡す（Ｓ３）。この時、納品ボタン２ｃの操作により、移動端末４を介して全温度データと位置情報がサーバー３に送信される。なお、温度測定開始当初は、温度測定装置２自体の温度が下がっていないので、図６（ｂ）に示す如く、補正推移グラフＧ１は、測定した温度データが最初に管理温度範囲内となった時刻ｆｔ０から表示するとよい。
【００４２】
そして、他に搬送先がある場合（Ｓ４）、温度測定装置２の測定開始ボタン２ｆ２を押し、再び温度測定装置２をコンテナ５に収容し、図９に示すフローチャートに従って、温度測定装置２にてコンテナ５内の薬剤ｍ１〜ｍ３の状況を監視しつつ、次の搬送先へ搬送する。搬送中（Ｓ５）は上記と同じ処理が実行される。
【００４３】
第二搬送先Ｐ２に到着すると、コンテナ５から薬剤ｍ２と温度測定装置２を取出し、第二搬送先Ｐ２の受取人に渡す（Ｓ６）。ここでは、図１１に示すように、２回目の納品ボタン２ｃの操作により、上述したように、判定部２１及び補正部２２により、第一、第二搬送先Ｐ１、Ｐ２に対応する各納品期間ＤＴ１、ＤＴ２が設定されると共に温度データが補正される。そして、例えばグラフ生成部２３ａにより、補正推移グラフが温度測定装置２の表示装置２ｂに出力される。表示装置２ｂは筐体２ｄの外面に設けられているので、受取人にその場でグラフを提示でき、搬送状態の信憑性を担保できる。なお、この時も、納品ボタン２ｃの操作により、移動端末４を介して全温度データと位置情報がサーバー３に送信される。なお、ここで、例えば表示切替ボタン２ｆ３の操作により、表示切替部２５が補正推移グラフＧ１と補正していない原推移グラフＧ０と切り替えるようにしてもよい。
【００４４】
そして、他に搬送先がある場合（Ｓ７）、ステップＳ５，Ｓ６が繰り返し実行される。最終搬送先Ｐ３である場合、上記と同様に第一〜第三搬送先Ｐ１〜３に対応する各納品期間ＤＴ１〜３が設定されると共に温度データが補正される。そして、例えばグラフ生成部２３ａにより、図６（ｂ）に示す如き補正推移グラフが温度測定装置２の表示装置２ｂに出力される。なお、同図の例では、現搬送先Ｐ３では、納品期間ＤＴ３の終了時刻ｆｔを納品ボタンの操作時刻Ｂとし、納品期間ＤＴ３の開始時刻の直前の測定時刻ｍｔ３に測定された温度データに補正するとよい。そして、例えば、移動端末４の操作により温度測定装置２による温度監視を完了させる。また、最後に全温度データ及び位置情報をサーバー３に送信する。
【００４５】
このように、リアルタイムでコンテナ５内の温度を測定することで、薬剤ｍ１〜ｍ３の温度状況を監視しているため、医薬品等の搬送物が置かれている環境を常に把握することが可能である。そのため、納品前に一定期間搬送物が管理温度外となった場合に、管理者が予め当該搬送物の再配送の手配や、搬送者へ搬送中止を指示することができる。
【００４６】
最後に、本発明の他の実施形態の可能性について言及する。なお、上述の実施形態と同様の部材には同一の符号を附してある。
上記実施形態において、位置情報の取得及び温度データの転送手段として、移動端末４を用いたが、省略することも可能である。例えば、温度測定装置２から直接サーバー３にデータを送信するようにするとよい。また、移動端末４及びサーバー３を省略すると共に温度測定装置２を単独で使用し、測定された温度データを温度測定装置２に記録し、他の記録媒体を介して測定データを取り出すようにしても良い。但し、位置情報の取得に別手段が必要となり、また位置情報を省略すると温度履歴情報の精度が低下するので、上述の実施形態の方が優れている。
【００４７】
また、上記実施形態において、グラフ生成部２３ａで補正推移グラフを生成し表示装置２ｂに表示した。しかし、グラフ形式での表示に限らず、表形式や結果のみ（納品の可否）の表示とすることも可能である。
【００４８】
上記実施形態において、補正部２２は、納品期間ＤＴ又は短縮納品期間ＤＴ’内の温度データをそれら納品期間の開始時刻ｓｔの直前の測定時刻ｍｔ１の測定値に補正した。しかし、補正の手法はこれに限られるものではない。例えば、図１３に示すように、納品期間ＤＴの直前の測定時刻ｍｔ１の測定値と納品期間ＤＴの終了時刻ｆｔの直後の測定時刻ｍｔ２の測定値とを直線で結んだ線分上の値に補正しても良い。直線状に補正することで、納品期間の前後で多少の温度変化が生じていた場合に、不自然な温度変化のグラフとならず、データの信頼性が低下することもない。また、上記実施形態では、現搬送先においても納品期間の温度データをその納品期間の開始時刻の直前の測定時刻に測定された温度データに補正した。しかし、例えば、現搬送先において受取人の目の前でコンテナ５から搬送物Ｍ及び温度測定装置２を取り出す場合、状況が明らかであるので、係る場合現搬送先の補正を省略しても構わない。
【産業上の利用可能性】
【００４９】
本発明は、単一の装置で複数の搬送先に搬送でき且つ各搬送先で搬送物の搬送状態を提示することが可能な搬送状態監視システム及び温度測定装置並びに搬送状態監視方法として利用することができる。
【符号の説明】
【００５０】
１：搬送状態監視システム、２：温度測定装置、２ａ：処理装置、２ｂ：表示装置、２ｃ：納品ボタン、２ｄ：筐体、２ｅ：警告部、２ｆ：操作ボタン、２ｇ：入出力装置、２ｈ：通信装置、２ｉ：電源装置ボタン、２ｊ：温度センサ、３：サーバー、３ａ：入力装置、３ｂ：出力装置、３ｃ：ＣＰＵ、３ｄ：メモリ、３ｅ：記憶装置、３ｆ：ネットワークアダプタ、３ｇ：バス、４：移動端末、４ａ：入力装置、４ｂ：出力装置、４ｃ：ＣＰＵ、４ｄ：メモリ、４ｅ：記憶装置、４ｆ：ネットワークアダプタ、４ｇ：位置情報取得装置（ＧＰＳモジュール）、４ｈ：バス、４ｊ：通信装置、５：コンテナ、６：ネットワーク、７：管理者ＰＣ、２０：ソフトウェア、２１：判定部、２１ａ：納品期間調整部、２２：補正部、２３：表示データ出力部、２３ａ：グラフ生成部、２４：データ送信部、２５：表示切替部、３０：ソフトウェア、３１：履歴情報生成部、３１ａ：地図ウィンドウ、３１ｂ：文字ウィンドウ、３１ｃ：吹き出し、３２：異常通知部、４０：ソフトウェア、４１：データ出力部、４２：データ転送部、４３：設定部、ＤＴ：納品期間、ｓｔ：開始時刻、ｆｔ：終了時刻、ｄｔａ：前期納品期間、ｄｔｂ：後期納品期間、Ａ：管理温度範囲（正常値）、Ｂ：納品ボタン操作時刻、Ｃ：搬送車、Ｇ０：原推移グラフ、Ｇ１：補正推移グラフ、Ｍ：搬送物、ｍ１〜ｍ３：薬剤、Ｐ０：搬送開始地点、Ｐ１〜Ｐ３：搬送先、ｑ：異常通知、Ｔmax：管理温度上限値、Ｔmin：管理温度下限値、ｔ：測定間隔
【図１】
2018150116.tif 000003
【図２Ａ】
2018150116.tif 000004
【図２Ｂ】
2018150116.tif 000005
【図３Ａ】
2018150116.tif 000006
【図３Ｂ】
2018150116.tif 000007
【図４Ａ】
2018150116.tif 000008
【図４Ｂ】
2018150116.tif 000009
【図４Ｃ】
2018150116.tif 000010
【図５Ａ】
2018150116.tif 000011
【図５Ｂ】
2018150116.tif 000012
【図６】
2018150116.tif 000013
【図７】
2018150116.tif 000014
【図８Ａ】
2018150116.tif 000015
【図８Ｂ】
2018150116.tif 000016
【図８Ｃ】
2018150116.tif 000017
【図９】
2018150116.tif 000018
【図１０】
2018150116.tif 000019
【図１１】
2018150116.tif 000020
【図１２】
2018150116.tif 000021
【図１３】
2018150116.tif 000022